(57)【要約】【課題】これまでにない、いろいろな使い方が可能な発光パネルが提供される。【解決手段】光を放出し光を透過させる透過発光領域を備えた発光パネルであって、前記透過発光領域は、光を放出する光放出部と、光を透過させる光透過部と、を有し、前記光放出部は、光を放出する発光部と、光を遮断する遮光層と、を有し、前記発光部から前記発光パネルの第１の主面の側に向かう光は、前記第１の主面から放出され、前記発光部から前記発光パネルの第２の主面の側に向かう光は前記遮光層により遮蔽されることを特徴とする発光パネルが提供される。【選択図】図１
2011249541.tif 000002
【特許請求の範囲】
【請求項１】
光を放出し光を透過させる透過発光領域を備えた発光パネルであって、
前記透過発光領域は、光を放出する光放出部と、光を透過させる光透過部と、を有し、
前記光放出部は、光を放出する発光部と、光を遮断する遮光層と、を有し、
前記発光部から前記発光パネルの第１の主面の側に向かう光は、前記第１の主面から放出され、前記発光部から前記発光パネルの第２の主面の側に向かう光は前記遮光層により遮蔽されることを特徴とする発光パネル。
【請求項２】
前記透過発光領域は、前記光放出部と、前記光透過部と、が交互に設けられた部分を有することを特徴とする請求項１記載の発光パネル。
【請求項３】
前記遮光層は、前記発光部から放出される光に対する反射性を有することを特徴とする請求項１または２に記載の発光パネル。
【請求項４】
前記透過発光領域は、前記光放出部のなかに設けられた複数の前記光透過部を有することを特徴とする請求項１〜３のいずれか１つに記載の発光パネル。
【請求項５】
前記透過発光領域は、前記光透過部のなかに設けられた複数の前記光放出部を有することを特徴とする請求項１〜３のいずれか１つに記載の発光パネル。
【請求項６】
前記発光部は、ＥＬ積層体を有することを特徴とする請求項１〜５のいずれか１つに記載の発光パネル。
【発明の詳細な説明】
【技術分野】
【０００１】
本発明は、発光パネルに関する。
【背景技術】
【０００２】
照明装置や表示装置などの光源として、電球や蛍光灯あるいは電球型のＬＥＤ（Light Emitting Diode）などの代わりに、発光パネルを用いることができる。発光パネルの一例として、ＥＬ（electro-luminescence）素子を用いたものがある。特許文献１には、ガラス基板と透明保護層との間に有機ＥＬからなる有機発光層を挟んだ有機ＥＬ素子が開示されている。有機発光層から放出された光は、有機ＥＬ素子の両面に放出される。
【先行技術文献】
【特許文献】
【０００３】
【特許文献１】特開２００１−３３２３９２号公報
【発明の概要】
【発明が解決しようとする課題】
【０００４】
これまでにない、いろいろな使い方が可能な発光パネルを提供する。  
【課題を解決するための手段】
【０００５】
本発明の一態様によれば、光を放出し光を透過させる透過発光領域を備えた発光パネルであって、前記透過発光領域は、光を放出する光放出部と、光を透過させる光透過部と、を有し、前記光放出部は、光を放出する発光部と、光を遮断する遮光層と、を有し、前記発光部から前記発光パネルの第１の主面の側に向かう光は、前記第１の主面から放出され、前記発光部から前記発光パネルの第２の主面の側に向かう光は前記遮光層により遮蔽されることを特徴とする発光パネルが提供される。
【発明の効果】
【０００６】
これまでにない、いろいろな使い方が可能な発光パネルが提供される。
【図面の簡単な説明】
【０００７】
【図１】図１（ａ）は、本発明の実施形態にかかる発光パネルの平面構成を例示する概念図である。また、図１（ｂ）は、この発光パネル１００のＡ−Ａ線断面の一例を表す模式図であり、図１（ｃ）は、この発光パネル１００のＡ−Ａ線断面の他の一例を表す模式図である。
【図２】透過発光領域１０の構造を例示する模式図である。
【図３】発光部３４への給電構造の具体例を表す断面図である。
【図４】透過発光領域１０の構造の他の具体例を表す模式図である。
【図５】発光部３４への給電構造の具体例を表す断面図である。
【図６】本実施形態の発光パネルの使用態様を例示する模式図である。
【図７】本実施形態の発光パネルの他の使用態様を例示する模式図である。
【図８】本実施形態の発光パネル１００の他の使用態様を例示する模式図である。
【図９】光フィルタ作用を説明するための概念図である。
【図１０】本発明者が試作した発光パネル１００の平面透視図である。
【図１１】図１１（ａ）は、この発光パネル１００のＡ−Ａ線断面図であり、図１１（ｂ）は、Ｂ−Ｂ線断面図である。
【図１２】試作した発光パネル１００を主面１００Ａの側から眺めた写真である。
【図１３】試作した発光パネル１００の点灯状態を表す写真である。
【図１４】透過発光領域における光透過部あるいは光放出部のパターンを例示する模式平面図である。
【発明を実施するための形態】
【０００８】
以下、図面を参照しつつ、本発明の実施の形態について説明する。  
図１（ａ）は、本発明の実施形態にかかる発光パネルの平面構成を例示する概念図である。また、図１（ｂ）は、この発光パネル１００のＡ−Ａ線断面の一例を表す模式図であり、図１（ｃ）は、この発光パネル１００のＡ−Ａ線断面の他の一例を表す模式図である。なお、図１（ｂ）及び（ｃ）においては、発光パネル１００の断面の詳細な構造は便宜上、省略した。
【０００９】
図１に表した発光パネル１００は、透過発光領域１０と、その周囲に設けられた周辺領域２０と、を有する。透過発光領域１０は、後に詳述するように、光を放出し、また主面１００Ａと主面１００Ｂとのあいだを光が透過可能な領域である。  
発光パネル１００は、図１（ｂ）に表したように、その両側の主面１００Ａ、１００Ｂがそれぞれ平面状の板状の形態を有するものとすることができる。  
あるいは、主面１００Ａ、１００Ｂは、非平面であってもよい。例えば、図１（ｃ）に例示したように、主面１００Ａ、１００Ｂのいずれか一方が曲面状であってもよい。あるいは、主面１００Ａ、１００Ｂの両方が曲面であってもよい。また、曲面は、図１（ｃ）に表したように凸状曲面でよく、あるいは凹状曲面でもよい。  
またさらに、主面１００Ａ、１００Ｂのいずか一方、あるいは両方が凹凸を有するものであってもよい。
【００１０】
そして、本実施形態においては、透過発光領域１０は、主面１００Ａと主面１００Ｂのうちで、いずれか一方のみから光を放出する。例えば、図１（ｂ）及び（ｃ）に矢印Ｌ１で例示した如く、主面１００Ａの側からは光を放出するが、主面１００Ｂの側からは光は実質的に放出しない。あるいは、これらとは逆に、主面１００Ａからは実質的に光を放出せず、主面１００Ｂから光を放出するものとしてもよい。
【００１１】
またさらに、透過発光領域１０の一部は、光を透過する。例えば、図１（ｂ）及び（ｃ）に矢印Ｌ３で表したように、主面１００Ａの側から主面１００Ｂの側に光が透過可能であり、また、矢印Ｌ４で表したように、主面１００Ｂの側から主面１００Ａの側に光が透過可能とされている。
【００１２】
一方、周辺領域２０は、例えば、電極パッドや駆動回路、その他、各種の周辺回路や周辺機器などが適宜設けられる領域である。なお、本実施形態においては、周辺領域２０は必ずしも必須ではなく、適宜省略することも可能である。
【００１３】
図１（ａ）においては、発光パネル１００の平面形状として略四角形のものを例示したが、本実施形態はこれには限定されない。すなわち、発光パネル１００の平面形状は、多角形、円形、楕円形、あるいはそれら以外の各種の形状とすることができる。また、透過発光領域１０の平面形状も、図１（ａ）に例示したように、略四角形には限定されず、多角形、円形、楕円形、あるいはそれら以外の各種の形状とすることができる。
【００１４】
図２は、透過発光領域１０の構造を例示する模式図である。図２（ａ）は、透過発光領域１０の一部拡大平面図であり、図２（ｂ）はそのＡ−Ａ線断面図である。  
透過発光領域１０は、光透過部１２と、光放出部１４と、を有する。そして、透過発光領域１０は、光透過部１２と、光放出部１４と、が交互に設けられた部分を有する。図２に表した具体例の場合、例えば、Ａ−Ａ線上の部分をみると、光透過部１２と、光放出部１４と、が交互に設けられている。
【００１５】
透過発光領域１０は、光放出部１４のなかに点在した複数の光透過部１２を有する。より具体的には、主面１００Ａ（あるいは主面１００Ｂ）に対して垂直な方向からみて、光放出部１４のなかに複数の光透過部１２が略マトリクス状に設けられている。  
図２（ｂ）に表したように、光放出部１４は、透光性基板３０の上に選択的に設けられた遮光層３２と、その上に設けられた発光部３４と、を有する。ただし、これら透光性基板３０、遮光層３２、発光部３４の積層の順番は、図２の具体例には限定されず、任意である。発光部３４は、後に詳述するように、例えば、ＥＬ層や、ＬＥＤ（light emitting diode）、ＬＤ（laser diode）などを有する。
【００１６】
図３は、発光部３４への給電構造の具体例を表す断面図である。  
本具体例においては、透光性基板３０の上に、遮光層３２と発光部３４とが選択的に設けられている。そして、透明導電層３６により発光部３４が共通接続され、その上に透光性基板３８が設けられている。  
透光性基板３０、３８は、例えば、ガラス、石英、プラスチック、樹脂類などの各種の材料により形成することができる。また、透光性基板３０、３８は、光の透過率がゼロでなければよく、無色透明、有色透明、半透明、不透明であってもよい。  
遮光層３２は、発光部３４から放出される光を実質的に遮蔽する材料からなり、例えば、金属、有機材料、無機材料などにより形成することができる。遮光層３２を導電性の材料により形成すれば、発光部３４に対する給電経路としても兼用できる。  
透明導電層３６は、例えば、スズの酸化物や、インジウムとスズの酸化物などにより形成することができる。  
また、発光部３４が透光性を有する場合には、図２及び図３に例示した如く、光放出部１４のみに発光部３４を選択的に形成するのではなく、光透過部１２にも発光部３４を連続的に形成してもよい。
【００１７】
図３に表した具体例によれば、遮光層３２と透明導電層３６を介して、複数の発光部３４にそれぞれ給電し、発光を生じさせることが可能となる。  
そして、図２及び図３に表したように、発光部３４から発光パネルの主面１００Ａの側に向かう光は、主面１００Ａから放出される。一方、発光部３４から発光パネルの主面１００Ｂの側に向かう光は、遮光層３２により遮蔽される。  
すなわち、発光部３４から放出された光は、矢印Ｌ１で表したように、透過発光領域１０の主面１００Ａの側から放出される。遮光層３２が設けられているために、発光部３４からの光は、矢印Ｌ２の方向には放出されない。
【００１８】
一方、光透過部１２においては、遮光層３２は設けられていない。このため、透光性基板３０、３８を介して、矢印Ｌ３の方向にも、あるいはこれとは逆に矢印Ｌ４の方向にも、光は透過可能とされている。
【００１９】
図４は、透過発光領域１０の構造の他の具体例を表す模式図である。すなわち、図４（ａ）は、透過発光領域１０の一部拡大平面図であり、図４（ｂ）はそのＡ−Ａ線断面図である。  
本具体例においても、透過発光領域１０は、光透過部１２と、光放出部１４と、が交互に設けられた部分を有する。例えば、Ａ−Ａ線上の部分をみると、光透過部１２と、光放出部１４と、が交互に設けられている。  
より具体的には、透過発光領域１０は、光透過部１２のなかに点在した複数の光放出部１４を有する。より具体的には、光透過部１２のなかに複数の光放出部１４が略マトリクス状に設けられている。これら要素の詳細は、図２及び図３に関して前述したものと同様とすることができる。
【００２０】
図５は、発光部３４への給電構造の具体例を表す断面図である。  
本具体例においては、透光性基板３０の上に透明導電層３１が設けられ、その上に遮光層３２と発光部３４とが選択的に設けられている。そして、発光部３４の上に透明導電層３６が共通的に設けられている。透明導電層３６により発光部３４が共通接続され、その上に透光性基板３８が設けられている。遮光層３２を導電性の材料により形成すれば、透明導電層３１、３６を介して、複数の発光部３４にそれぞれ給電し、発光を生じさせることが可能となる。なお、本具体例においても、発光部３４が透光性を有する場合には、図４及び図５に例示した如く、光放出部１４のみに発光部３４を選択的に形成するのではなく、光透過部１２にも発光部３４を連続的に形成してもよい。
【００２１】
そして、本具体例においても、発光部３４から放出された光は、矢印Ｌ１で表したように、透過発光領域１０の主面１００Ａの側から放出される。遮光層３２が設けられているために、発光部３４からの光は、矢印Ｌ２の方向には放出されない。一方、光透過部１２においては、遮光層３２は設けられていない。このため、透光性基板３０、３８を介して、矢印Ｌ３の方向にも、あるいはこれとは逆に矢印Ｌ４の方向にも、光は透過可能とされている。
【００２２】
なお、本実施形態は、図２〜図５に表した具体例には限定されない。例えば、光放出部１４（あるいは、光透過部１２）の平面形状は、図２（ａ）（あるいは、図４（ａ））に表したように、略四角形には限定されず、その他の各種の形状とすることができる。また、これら光放出部１４（あるいは、光透過部１２）の配置パターンについても、縦横が等ピッチのマトリクス状には限定されず、千鳥格子状や、非周期的な各種の配置パターンであってもよい。例えば、後に具体例として詳述するように、光透過部１２と光放出部１４とがそれぞれストライブ状に形成され交互に配列したものであってもよい。  
また、これら複数の光放出部１４（あるいは、光透過部１２）の平面形状や平面サイズは、同一である必要はなく、異なる平面形状や平面サイズを有する光放出部１４を含んでもよい。
【００２３】
また、光透過部１２と光放出部１４の面積の比率についても、図２や図４に例示したものには限定されない。光透過部１２の面積の比率を高くすれば、発光パネル１００を透過する光の量を増やすことができる。反対に、光放出部１４の面積の比率を高くすれば、発光パネル１００から放出される光の量を増やすことができる。したがって、これら面積の比率は、発光パネル１００の用途や要求される仕様、性能などに応じて適宜調整することができる。
【００２４】
以上説明したように、本実施形態の発光パネル１００は、一方の主面１００Ａ（あるいは１００Ｂ）の側のみから光を放出するとともに、一方の主面１００Ａと他方の主面１００Ｂとの間で光が透過可能とされている。このように、光を透過させつつ、一方向のみに光を放出する発光パネルを用いると、例えば、外光を採り入れ、さらに必要に応じて照明を点灯させることができる窓として用いることができる。
【００２５】
図６は、本実施形態の発光パネルの使用態様を例示する模式図である。  
本具体例においては、建物４００の屋根４１０に本実施形態の発光パネル１００が取り付けられている。図６（ａ）に表したように、昼間は外光９００が発光パネル１００を介して建物４００の内部に透過可能である。つまり、発光パネル１００は、「明かり採りの窓」として機能する。  
一方、図６（ｂ）に表したように、夜間は、発光パネル１００を発光させることにより、「照明」として用いることができる。この際に、発光パネル１００からの光は、建物４００の内部に向けて放出されるが、建物４００の外側に向けては放出されない。つまり、建物４００の外側への光の漏れを防ぐことができる。光放出部１４の遮光層３２（図２、図４参照）に反射作用を付与すれば、発光部３４から放出された光を遮光層３２で反射させ、建物４００の室内に向けて放出させることができる。つまり、光放出部１４から放出された光を一方向のみに効率的に取り出し、建物４００の室内を照明することができる。
【００２６】
なお、図６には、発光パネル１００を建物４００の屋根４１０に設置した具体例を表したが、これ以外にも、例えば、建物４００の外壁や、室内を仕切る壁などに設置してもよい。また例えば、自動車や船舶などに発光パネル１００を取り付けて、外光の採りこみと、室内の照明と、を両立させることもできる。
【００２７】
図７は、本実施形態の発光パネルの他の使用態様を例示する模式図である。  
本具体例においては、発光パネル１００は読書灯として用いることができる。すなわち、読者９２０は、発光パネル１００を介して書籍９１０を読むことができる。この際に、例えば図７に挿入図として例示したように、光透過部１２の面積の比率を高くし、光放出部１４の面積の比率を低くすることにより、光放出部１４がじゃまになることを防ぐことができる。実際、読者９２０の両眼の焦点を書籍９１０に合わせた状態においては、発光パネル１００の光放出部１４は読者９２０の両眼の焦点から外れた位置にあるので、読者９２０の視界を遮る影響は少ない。
【００２８】
そして、周囲の明るさが十分でないときには、発光パネル１００を点灯させ、矢印Ｌ１で表したように光を放射させて書籍９１０を照らすことができる。この際に、発光パネル１００からの光は、読者９２０の方向には放出されないので、読者９２０がまぶしく感じることはない。  
本具体例によれば、薄型で軽量、かつデザイン性にすぐれ使い勝手のよい読書灯を提供できる。また、例えば、図１（ｃ）に表したように、発光パネル１００をレンズ状に形成すれば、書籍９１０の拡大表示も可能となる。  
本具体例は、読書灯には限定されず、例えば、暗所で手元を照らしながら作業をする際の作業灯や、時計修理などの際に用いる拡大ルーペなどにも用いることができる。
【００２９】
一方、本実施形態の発光パネル１００は、光フィルタ的な作用も有する。  
図８は、本実施形態の発光パネル１００の他の使用態様を例示する模式図である。  
発光パネル１００が非点灯の状態にあるとき、図８（ａ）に表したように、観察者９３０は、発光パネル１００を介して被観察体９４０を見ることができる。つまり、発光パネル１００の光透過部１２（図２、図４参照）を介して、被観察体９４０の光像を捉えることができる。  
ところが、図８（ｂ）に表したように、発光パネル１００を点灯させ、観察者９３０の方向に光を放出させると、観察者９３０にとって、被観察体９４０が見えにくくなる。
【００３０】
図９は、このような光フィルタ作用を説明するための概念図である。  
本具体例は、光透過部１２と光放出部１４とがそれぞれストライプ状に形成され交互に配置された発光パネル１００である。すなわち、図９においては、横方向にそって、透過発光領域１０は、光透過部１２と、光放出部１４と、が交互に設けられた部分を有する。
【００３１】
発光パネル１００が非点灯の状態においては、図９（ａ）に表したように、光透過部１２を介して被観察体９４０を見ることができる。また、被観察体９４０からみて、観察者９３０（図８参照）を見ることもできる。  
図９（ｂ）は、発光パネル１００を点灯させ、光放出部１４から観察者の側（図９において、紙面の向かって手前に向かう側）に光を放出させた状態を表す。この状態においては、光放出部１４から放出される光によって、その周囲の光透過部１２を介した背景が見えにくくなる。つまり、光放出部１４が明るくなったことにより、光透過部１２の背景が視覚的に隠される。  
一方、この状態においても、被観察体９４０からみて、観察者９３０（図８参照）を見ることはできる。
【００３２】
図９（ｃ）は、光放出部１４から放出される光の量をさらに増やした状態を表す。光放出部１４がさらに明るく光るようになると、光透過部１２の背景は完全に隠されてしまい、見えなくなる。つまり、観察者９３０（図８参照）からみて、被観察体９４０が見えなくなる。
【００３３】
そして、この状態においても、被観察体９４０からは、観察者９３０を見ることができる。これは例えば、図７に関して前述した読書灯と同様の作用である。
【００３４】
このように、本具体例によれば、発光パネル１００が非点灯状態のときは、発光パネル１００の両側からそれぞれ反対側を見ることができる。これに対して、発光パネル１００が点灯状態にあると、発光パネル１００の一方の側から他方の側が見えず（あるいは見えにくくなり）、発光パネル１００の他方の側から一方の側は見ることができる。
【００３５】
このような、独特の光フィルタ作用は、例えば、住宅設備や、飲食店のウインドウ、商店のショーウインドウ、ディスプレイ、アミューズメント、ゲームなど、広範な用途において新規な使い方、効果を生じさせる可能性がある。
【００３６】
次に、本発明者が実施した本実施形態の発光パネル１００の試作例について、説明する。  
図１０は、本発明者が試作した発光パネル１００の平面透視図である。  
また、図１１（ａ）は、この発光パネル１００のＡ−Ａ線断面図であり、図１１（ｂ）は、Ｂ−Ｂ線断面図である。  
本試作例の発光パネル１００は、透光性基板３８の上に、透明導電層３６、発光部としてのＥＬ層３４、遮光層としての電極３２、を積層し、さらに非透湿性の保護キャップ４２により封止した構造を有する。透明導電層３６と電極３２とは、絶縁層４０により電気的に絶縁されている。図１０に表した平面構成において、絶縁層４０により囲まれた略四角形の部分が、透過発光領域１０に相当し、その外側の領域が周辺領域２０に相当する（図１参照）。透過発光領域１０において、遮光層としての電極３２は、ストライプ状に形成され、間隔を空けて設けられている。これら電極３２が設けられた部分が光放出部１４であり、電極３２が設けられていない部分が、光透過部１２である。
【００３７】
以下、本試作例の発光パネル１００について、その製造方法を参照しつつ、さらに詳しく説明する。  
非透湿性の透光性基板３８として、ソーダライムガラス基板（縦横１００ｍｍ×１００ｍｍ、厚さ＝０．７ｍｍ）を用いた。その表面に、透明導電層３６として、ＩＴＯ（Indium Tin Oxide）を、スパッタリング法を用いて、厚さ１５０ｎｍ成膜した。続いて、フォトリソグラフィ法により、成膜したＩＴＯ膜を、透過発光領域１０の全体を覆い周辺領域２０の一部に延在するようにパターニングした。
【００３８】
次に、絶縁層４０として、スピンコート法を用いて、ポリイミドを厚さ１．５μｍ成膜した。そして、成膜したポリイミド膜をフォトリソグラフィ法によりパターニングし、透過発光領域１０の外縁部分を取り囲む形状に加工した。
【００３９】
次に、発光部３４として、２波長白色発光となる有機ＥＬ積層体を、真空蒸着法を用いて、ＩＴＯ膜３６の上に成膜した。有機ＥＬ積層体としては、まず始めに、ホール輸送層として、α−ＮＰＤを厚さ６０ｎｍ成膜した。続いて、青色発光層として、ホストをα−ＮＰＤ、ドーパントをペリレンとし、ドーパント濃度が１ｗｔ％となるように、厚さ２０ｎｍ成膜した。次に、赤色発光層として、ホストをＡｌｑ３、ドーパントをＤＣＭ１とし、ドーパント濃度が１ｗｔ％となるように、厚さ４０ｎｍ成膜した。最後に、エレクトロン輸送層として、Ａｌｑ３を厚さ２０ｎｍ成膜した。
【００４０】
次に、遮光層３２として、反射性を有する膜を、真空蒸着法を用いて、有機ＥＬ積層体３４の上に成膜した。ここで、透過発光領域１０の透過率を決定するため、例えば、光透過部１２の面積比が８５％の発光パネルを作成する場合には、蒸着マスクの窓部分を合計した面積がマスク全体面積の１５％となるように、等間隔、且つ周期的に配列した蒸着マスクを用いて、遮光層３２を形成した。遮光層３２としては、ＬｉＦを膜厚０．７ｎｍ、Ａｌを膜厚１５０ｎｍ成膜した。
【００４１】
このようにして作成した有機ＥＬ素子は、外気の水分に対して非常に脆弱である。このため、非透湿性の保護キャップ４２により、発光部３４を覆うように気密に封止した。本実施形態では、光透過部１２において光透過性が必要であるため、非透湿性の保護キャップ４２も、光透過性を有する必要がある。そこで、非透湿性の保護キャップ４２として、ソーダライムガラス基板を用いた。気密封止の方法としては、ソーダライムガラス基板の縁部にＵＶ硬化型の接着剤を塗布し、透過発光領域１０を覆うように保護キャップ４２を貼り合わせた後、発光部３４にＵＶが照射されないように遮光した状態で接着剤塗布部にＵＶを照射し接着剤を硬化させて気密に接合した。
【００４２】
図１２は、試作した発光パネル１００を主面１００Ａの側から眺めた写真である。  
図１２（ａ）は、非点灯状態を表す。発光パネル１００は、クリップ９５０により支持され、端子９６０、９６０により給電される。発光パネル１００の背後には、ライオンの顔を模したイラスト９８０が配置されている。発光部３４が光を放出していない状態において、発光パネル１００の背後のイラスト９８０を、透過発光領域１０の光透過部１２を介して観察できることが分かる。なお、この発光パネル１００は、透過発光領域１０における光透過率が７０パーセントである。つまり、透過発光領域１０における光透過部１２の面積の比率が７０パーセントであり、光放出部１４の面積の比率が３０パーセントである。
【００４３】
図１２（ｂ）は、点灯状態を表す。つまり、図１２（ｂ）は、光放出部１４からの光が、紙面の手前方向に放出されている状態を表す。この状態では、発光パネル１００の背後のイラスト９８０（図１２（ａ）参照）は、殆ど見えない。つまり、発光パネル１００の背後のイラスト９８０のコントラストが非常に低下している。
【００４４】
このように、観察者の側に光を放射させると、発光パネル１００を介した背景の画像のコントラストが大幅に低下する。発光パネル１００の光量を大きくすれば、図１２（ｂ）に表したように、その背後の画像を観察者から隠すことが可能となる。本実施形態によれば、このように、光シャッター的な使い方が可能となる。
【００４５】
図１３は、試作した発光パネル１００の点灯状態を表す写真である。  
図１３（ａ）は、ライオンの顔を模したイラスト９８０の上に、発光パネル１００の主面１００Ｂを上向きに配置して点灯させた状態を表す。すなわち、発光パネル１００からの光は、観察者の方向（紙面の手前方向）ではなく、イラスト９８０の方向（紙面の奥方向）に向けて放出されている。  
この状態では、発光パネル１００の背後の背景画像が明るく照らされ、背景の画像を明確に観察することができる。図１２（ａ）と比較すると、イラスト９８０を照らすことにより、とても明確に観察できることが分かる。これは、図７に関して前述した読書灯と同様の態様である。
【００４６】
図１３（ｂ）は、同様に、イラスト９８０の上に、発光パネル１００の主面１００Ｂを上向きに配置して点灯させ、発光パネル１００を介さず、その脇からイラスト９８０を眺めた状態を表す。すなわち、発光パネル１００からの光は、イラスト９８０の方向（紙面の奥方向）に向けて放出されている。  
この状態でも、イラスト９８０が明るく照らされ、明確に観察することができる。これは例えば、「デスクライト」、「テーブルライト」あるいは「スタンド」などと呼ばれる照明器具と同様の使い方である。本実施形態によれば、このような従来の照明器具としての使い方も可能である。
【００４７】
このように、発光パネル１００を点灯させた状態においては、光が放出される側から眺めた時には背景の画像が隠され、一方、光が遮蔽される側から眺めた場合には背景の画像を明瞭に観察することが可能となる。
【００４８】
このような、独特の方向性あるいはフィルタ性を有する本実施形態の発光パネルは、これまでにない、各種の用途において、新規な使い方や効果の創出を可能とするものである。
【００４９】
以上、図面を参照しつつ、本発明の実施の形態について説明した。しかしながら、本発明は、これらの実施形態に限定されない。本発明の発光パネルを構成する透過発光領域、光透過部、光放出部、周辺領域、透光性基板、透明導電層、遮光層、電極、発光部、ＥＬ積層体、透明導電層をはじめとする各要素の材質、形状、サイズ、配置などに関して、当業者が各種設計変更を行ったものであっても、本発明の主旨を逸脱しない限り、本発明の範囲に包含される。
【００５０】
例えば、透過発光領域における光透過部あるいは光放出部は、必ずしも複数に分割されておらず、複数の部分が互いに連結したほうなパターンであってもよい。  
図１４は、このようなパターンを例示する模式平面図である。  
透過発光領域１０において、光透過部１２は、複数のストライプ状の部分１２Ｓを有する。しかし、これら複数のストライプ状の部分１２Ｓは、互いに分割されておらず、連結部１２Ｃにより互いに連結されている。光透過部１２をこのようなパターンに形成しても、図１〜図１３に関して前述した作用効果を同様に得ることができる。また、図１４に例示したような具体例において、光透過部１２と光放出部１４とを逆にしてもよい。つまり、光放出部１４が図１４に表した光透過部１２のようなパターンを有するように形成してもよい。
【００５１】
一方、図４に例示したように、光透過部１４のなかに複数の光放出部１２を点在させた場合に、それぞれの光放出部１２を個別に点灯させるようにしてもよい。これは、例えば、ＴＦＴ（Thin Film Transistor）などのスイッチング素子を用いて実現できる。このようにすれば、透過発光領域１０の一部のみを点灯させたり、また文字や図形や画像データなどを表示させることも可能となる。  
またさらに、例えば、赤色（Ｒ）に発光する光放出部１２と、緑色（Ｇ）に発光する光放出部１２と、青色（Ｂ）に発光する光放出部１２と、を隣接して配置して画素とし、この画素を透過発光領域１０に周期的に配列させることもできる。この場合、それぞれの画素の赤色と緑色と青色の発光強度を制御すれば、カラー表示も可能となる。
【符号の説明】
【００５２】
１０ 透過発光領域、１２ 光透過部、１４ 光放出部、２０ 周辺領域、３０ 透光性基板、３１ 透明導電層、３２ 遮光層（電極）、３４ 発光部（ＥＬ積層体）、３６ 透明導電層、３８ 透光性基板、４０ 絶縁層、４２ 保護キャップ、１００ 発光パネル、１００Ａ 主面、１００Ｂ 主面、４００ 建物、４１０ 屋根、９００ 外光、９１０ 書籍、９２０ 読者、９３０ 観察者、９４０ 被観察体
【図１】
2011249541.tif 000003
【図２】
2011249541.tif 000004
【図３】
2011249541.tif 000005
【図４】
2011249541.tif 000006
【図５】
2011249541.tif 000007
【図６】
2011249541.tif 000008
【図７】
2011249541.tif 000009
【図８】
2011249541.tif 000010
【図１０】
2011249541.tif 000011
【図１１】
2011249541.tif 000012
【図１４】
2011249541.tif 000013
【図９】
2011249541.tif 000014
【図１２】
2011249541.tif 000015
【図１３】
2011249541.tif 000016